(57)【要約】【課題】  耐震性が高く、且つ様々なサイズのＣ形鋼に対応できる建築物用の吊り金具を提供する。【解決手段】  Ｃ形鋼１００と吊りボルトとを結合する吊り金具１は固定部材３と、固定部材３内部に嵌合され、前記内部を摺動する可動部材４とを具備し、各部材は係止部３５、３６、４７、４８を有し、これら係止部はＣ形鋼１００の両側端部のリップ部１０２、１０３に夫々係止してＣ形鋼１００と吊りボルトとを結合する。吊り金具１は４つの係止部を用い、しかも上下のリップ部に係止部を係止させているので、耐震性が高くＣ形鋼と吊りボルトとを強固に結合できる。【選択図】    図２
2015209696.tif 000002
【特許請求の範囲】
【請求項１】
建築物の天井構造に用いられるＣ形鋼と吊りボルトとを結合し、係止部を有する吊り金具において、前記Ｃ形鋼は、断面形状がＣ形をしており、前記係止部は、前記Ｃ形鋼の両側端部のリップ部に夫々係止して、前記Ｃ形鋼と前記吊りボルトとを結合することを特徴とする吊り金具。
【請求項２】
請求項１に記載された吊り金具において、前記吊り金具は、固定部材と、前記固定部材内部に嵌合され、前記内部を摺動する可動部材とを具備し、前記固定部材は、板状体から構成され、前記板状体は、平面部と、前記板状体の両側端部を折曲してなる第１及び第２の折曲部と、前記板状体の前記両側端部とは隣接する一端を折曲してなる底部と、前記両側端部の前記底部側の端には夫々前記Ｃ形鋼のリップ部に係止する第１及び第２の係止部とを備え、前記底部には前記吊りボルトのねじ状の一端部が捻じ込まれるねじ孔が形成され、前記第１及び第２の折曲部の互いに対向する面には１対の突起部を有し、前記可動部材は、板状体から構成され、前記可動部材の前記板状体は、平面部と、前記板状体の両側端部を折曲してなる第１及び第２の折曲部とを備え、前記可動部材の前記板状体の両側端部とは隣接する一端は、部分的に切り欠かれ、且つ一部が折曲されてボルト受け部が形成され、前記可動部材の前記板状体両側端部の前記ボルト受け部が形成された一端には対向する一対の溝状部が形成され、前記可動部材の前記板状体両側端部の他端には、夫々前記Ｃ形鋼のリップ部に係止する第３及び第４の係止部が形成され、前記突起部は、前記一対の溝状部にそれぞれ嵌合され、前記突起部が前記溝部を移動することによって、前記可動部材が前記固定部材内部を摺動するように構成されていることを特徴とする吊り金具。
【発明の詳細な説明】
【技術分野】
【０００１】
本発明は、体育館、工場、コンビニエンストア、住宅等の建築物に用いられる母屋（モヤ）と呼ばれるＣ形鋼と吊りボルトとを結合する吊り金具に関するものである。
【背景技術】
【０００２】
従来、建築物の天井は、屋根の下や上層の階の床下に取り付けられたＣ形鋼によって支えられている。例えば、図５は、屋根と天井の化粧板との間の天井構造を説明する従来の体育館の断面図である。
屋根には、Ｃ形鋼１００が複数個屋根裏に固定されている。天井裏には複数のハンガーが固定され、各ハンガーは、吊りボルト１０１の一端を固定している。吊りボルト１０１の他端は、吊り金具１１０に固定され、吊りボルト１０１に固定された吊り金具１１０は、Ｃ形鋼１００の両端にあるリップ部の一方に係止される。
図６は、従来の吊り金具の一例である。この例では、吊り金具１１０は、板状体からなり、断面形状がＬ字状になっており、更に上部の先端部分が折曲されている。そして、この折曲された先端部をＣ形鋼１００のリップ部１０２、１０３の一方に係止させて、Ｃ形鋼１００と吊りボルト１０１とを接続している。
【０００３】
非特許文献１には図６に示された従来の吊り金具と同じ型式のものが開示されている（第９頁参照）。
【先行技術文献】
【非特許文献】
【０００４】
【非特許文献１】「鋼製下地材特殊金物総合カタログ」  株式会社能重製作所  ２０１１年１０月発行
【発明の概要】
【発明が解決しようとする課題】
【０００５】
従来の吊り金具は、例えば、図６に示すように、非特許文献１に記載のものを含めてＣ形鋼の両端にあるリップ部１０２の一方に係止させて吊り金具とＣ形鋼とを結合している。
しかしながら、近年の地震活動の活発さから、どのような建築物であれ、耐震性を強化しなければならないという問題がある。
図６に示す従来の吊り金具１１０は、Ｃ形鋼のリップ部の１つに係止部（折曲された先端部分）を係止させてＣ形鋼に固定されている。しかし、この建築物に地震による揺れが来ると、Ｃ形鋼と吊り金具との結合部は１箇所しかないので、両者の結合は簡単に破れてしまう。例えば、上下振動の地震が来れば、係止部はリップ部から外れ、Ｃ形鋼の長尺方向の横揺れ地震が来れば、係止部はリップ部上を移動してしまい、また、長尺方向とは直角な方向からの横揺れ地震では容易に吊り金具は外れてしまう。
本発明は、このような事情によりなされたもので、耐震性が高く、更に、様々なサイズのＣ形鋼に対応できる建築物用の吊り金具を提供する。
【課題を解決するための手段】
【０００６】
本発明の吊り金具の一態様は、建築物に用いられるＣ形鋼と吊りボルトとを結合し、係止部を有する吊り金具において、前記Ｃ形鋼は、断面形状がＣ形をしており、前記係止部は、前記Ｃ形鋼の両側端部のリップ部に夫々係止して、前記Ｃ形鋼と前記吊りボルトとを結合することを特徴としている。
【０００７】
また、本発明の吊り金具の一態様は、請求項１に記載された吊り金具において、前記吊り金具は、固定部材と、前記固定部材内部に嵌合され、前記内部を摺動する可動部材とを具備し、前記固定部材は、板状体から構成され、前記板状体は、平面部と、前記板状体の両側端部を折曲してなる第１及び第２の折曲部と、前記板状体の前記両側端部とは隣接する一端を折曲してなる底部と、前記両側端部の前記底部側の端には夫々前記Ｃ形鋼のリップ部に係止する第１及び第２の係止部とを備え、前記底部には前記吊りボルトのねじ状の一端部が捻じ込まれるねじ孔が形成され、前記第１及び第２の折曲部の互いに対向する面には１対の突起部を有し、前記可動部材は、板状体から構成され、前記可動部材の前記板状体は、平面部と、前記板状体の両側端部を折曲してなる第１及び第２の折曲部とを備え、
前記可動部材の前記板状体の両側端部とは隣接する一端は、部分的に切り欠かれ、且つ一部が折曲されてボルト受け部が形成され、前記可動部材の前記板状体両側端部の前記ボルト受け部が形成された一端には対向する一対の溝状部が形成され、前記可動部材の前記板状体両側端部の他端には、夫々前記Ｃ形鋼のリップ部に係止する第３及び第４の係止部が形成され、前記突起部は、前記一対の溝状部にそれぞれ嵌合され、前記突起部が前記溝部を移動することによって、前記可動部材が前記固定部材内部を摺動するように構成されていることを特徴としている。
【発明の効果】
【０００８】
本発明の吊り金具は、耐震性を高くすることが出来る。更に、可動部材が固定部材内部を摺動するように構成されているので吊り金具の長さを変更することが可能になり様々なサイズのＣ形鋼に対応させることが可能になる。
【図面の簡単な説明】
【０００９】
【図１】実施例１に係るＣ形鋼に取り付けた吊り金具の斜視図。
【図２】実施例１に係るＣ形鋼に取り付けた吊り金具の側面図。
【図３】実施例１に係る固定部材の斜視図（ａ）、側面図（ｂ）、底面図（ｃ）。
【図４】実施例１に係る可動部材の斜視図（ａ）、側面図（ｂ）。
【図５】従来の吊り金具が用いられた建築物（体育館）の断面図。
【図６】Ｃ形鋼に取り付けた従来の吊り金具の斜視図。
【発明を実施するための形態】
【００１０】
実施例を参照して発明の実施の形態を説明する。
【実施例１】
【００１１】
図１乃至図４を参照して実施例１を説明する。
この実施例の吊り金具は、図１及び図２に示すように、固定部材３と可動部材４とから構成され、固定部材３に形成されたねじ孔３７に吊りボルト（図示せず）の一端をねじ込んで固定し、Ｃ形鋼１００とこの吊りボルトとを結合している。
【００１２】
固定部材３は、図３に示すように、鋼材などを用いた板状体から構成されている。この板状体は、平面部３１と、その両側端部を折曲してなる第１及び第２の折曲部３２、３３と、この両側端部とは隣接する一端を折曲してなる底部３４と、両側端部の前記底部３４側の端に夫々Ｃ形鋼のリップ部に係止する第１及び第２の係止部３５、３６とを具備している。底部３４には吊りボルトのねじ状の一端部が捻じ込まれるねじ孔３７が形成され、第１及び第２の折曲部３２、３３の互いに対向する面には１対の突起部３８、３９が形成されている。
【００１３】
第１及び第２の折曲部３２、３３の底部３４側の端に形成された夫々Ｃ形鋼のリップ部に係止する第１及び第２の係止部３５、３６は、図３（ｂ）に記載されているように、一方が略垂直であり他方が傾斜している断面台形状に切り欠き形成されている。このように、この切り欠き部の開口部分を広くしているのは、係止部がＣ形鋼のリップ部に係止し易くするためである。
【００１４】
可動部材４は、図４に示すように、鋼材などを用いた板状体から構成されている。この可動部材４を構成する板状体は、平面部４１と、その両側端部を折曲してなる第１及び第２の折曲部４２、４３とを備え、可動部材４を構成する板状体の両側端部とは隣接する一端は、部分的に切り欠かれ（切り欠け部４９）、且つ一部が折曲されてボルト受け部４４が形成されている。第１及び第２の折曲部４２，４３のボルト受け部４４が形成されている一端には対向する一対の溝状部４５、４６が形成され、他端には、夫々Ｃ形鋼のリップ部に係止する第３及び第４の係止部４７、４８が形成されている。
【００１５】
第１及び第２の折曲部４２、４３の他端に形成された夫々Ｃ形鋼のリップ部に係止する第３及び第４の係止部４７、４８は、図４（ｂ）に記載されているように、一方が略垂直であり他方が傾斜している断面台形状に切り欠き形成されている。このように、この切り欠き部分の開口部分を広くしているのは、係止部がＣ形鋼のリップ部に係止し易くするためである。
【００１６】
固定部材３の折曲部３２、３３に形成された突起部３８、３９を可動部材４の折曲部４２、４３に形成された長尺状の溝状部４５、４６に嵌合させ、可動部材４を固定部材３内部に、夫々の平面部３１、４１を重ねるように、収納すると、突起部３８、３９が溝状部４５、４６を移動することによって、可動部材４が固定部材３内部を摺動する。このとき、可動部材４の折曲部４２は、固定部材３の底部３４と折曲部３２との間隙を移動し、可動部材４の折曲部４３は、固定部材３の底部３４と折曲部３３との間隙を移動する。
【００１７】
このように、この吊り金具は、固定部材と可動部材とからなり、可動部材が固定部材内部を移動する構成になっているので、その長さを変えることが出来る。吊り金具の長さは、係止部３５、３６と係止部４７、４８との間の長さに相当する。
したがって、この実施例の吊り金具は、様々なサイズのＣ形鋼に対応させることができる。
【００１８】
この吊り金具１を用いて、Ｃ形鋼と吊りボルトとを結合するには、図１に示すように、固定部材３に設けた係止部をＣ形鋼１００の下部のリップ部１０３に嵌め、可動部材４に設けた係止部を上部のリップ部１０２に嵌める。そして、吊りボルトは、図示はしないが、ねじを有する一端を固定部材３の底部にあるねじ孔３７に挿入して両者を接続する。このとき、可動部材４に設けたボルト受け部４４は、吊りボルトを受けて、ねじの作用により可動部材４を摺動させて、上部の係止部４７、４８をＣ形鋼１００に緊結させる。
【００１９】
以上のように、この実施例の吊り金具は、４つの係止部を用い、しかも上下のリップ部に係止部を係止させている。したがって、耐震性が高く、Ｃ形鋼と吊りボルトとを強固に結合することが可能になる。
【符号の説明】
【００２０】
１・・・吊り金具
３・・・固定部材
４・・・可動部材
３１・・・固定部材の平面部
３２・・・固定部材の第１の折曲部
３３・・・固定部材の第２の折曲部
３４・・・固定部材の底部
３５・・・第１の係止部
３６・・・第２の係止部
３７・・・底部のねじ孔
３８、３９・・・固定部材の突起部
４１・・・可動部材の平面部
４２・・・可動部材の第１の折曲部
４３・・・可動部材の第２の折曲部
４４・・・可動部材のボルト受け部
４５、４６・・・可動部材の溝状部
４７・・・第３の係止部
４８・・・第４の係止部
４９・・・切り欠け部
１００・・・Ｃ形鋼
１０１・・・吊りボルト
１０２、１０３・・・Ｃ形鋼のリップ部
１１０・・・従来の吊り金具
【図１】
2015209696.tif 000003
【図２】
2015209696.tif 000004
【図３】
2015209696.tif 000005
【図４】
2015209696.tif 000006
【図５】
2015209696.tif 000007
【図６】
2015209696.tif 000008